【手続補正書】
【提出日】平成25年6月24日(2013.6.24)
【手続補正１】
【補正対象書類名】明細書
【補正対象項目名】００９９
【補正方法】変更
【補正の内容】
【００９９】
当業者には、本発明の範囲及び趣旨から逸脱することなく、本発明の様々な修正及び改変を行うことができ、本発明が、本明細書に記述されている説明のための実施形態に不当に制限されないことが理解されるべきである。
本開示は以下も包含する。
［１］  式Ｉのカチオン及びアニオンを含む触媒組成物であって、
Ａｎq-Ｑｐm+                  （Ｉ）
式中、ｍ、ｎ、ｐ、及びｑは、正の整数であり、ｍ*ｐ＝ｎ*ｑであり、Ｑm+は、有機オニウムであり、Ａq-はアニオンであるが、但し、少なくとも１つのＡq-は、式ＩＩから選択され、
【化１】
2012531493.tif 000001
式中、各Ｒは、独立して、Ｈ、ハロ、アルキル、アリール、アラルキル、又はシクロアルキルであり、また、ハロゲン化、フッ素化、又は全フッ素化されてもよく、Ｒ及びＲ’基のうちの２つ以上は一緒に環を形成してもよく、各Ｒ基は、独立して、１つ以上のヘテロ原子を含有してもよく、Ｒ’は、Ｒと同じであってもよいが、但し、Ｒ’はハロであってはならず、炭化水素含有アルコールを本質的に含まない触媒組成物。
［２］  各ＲがＦであり、Ｒ’がＨ、フェニル、メトキシフェニル、トルイル、フェノキシ、フルオロフェニル、トリフルオロメチルフェニル、及びＣＦ3から選択される、上記［１］に記載の組成物。
［３］  テトラ−アルキルアンモニウム２−フェニル−１，１，１，３，３，３ヘキサフルオロイソプロパノエート、テトラ−アルキルアンモニウム１，１，１，３，３，３ヘキサフルオロイソプロパノエート、テトラブチルホスホニウム２−フェニル−１，１，１，３，３，３−ヘキサフルオロイソプロパノエート、テトラブチルホスホニウム１，１，１，３，３，３ヘキサフルオロイソプロパノエート、テトラブチルホスホニウム２−メトキシフェニル−１，１，１，３，３，３−ヘキサフルオロイソプロパノエート、及びテトラブチルホスホニウム２−ｐ−トルイル−１，１，１，３，３，３−ヘキサフルオロイソプロパノエートから選択される、上記［１］に記載の触媒組成物。
［４］  式ＩＩＩのアニオンを含むフルオロエラストマーに好適な触媒組成物であって、
【化２】
2012531493.tif 000002
式中、各Ｒｆは、独立して、Ｒ−ＣＦ2又は１〜８個の炭素原子を有するペルフルオロアルキル基であり、Ｒは、Ｈ、ハロ、８個以下の炭素原子を有するアルキル、アリール、又はシクロアルキルであり、またハロゲン化、フッ素化、又は全フッ素化されてもよく、ヘテロ原子を含有してもよく、Ｘは、連結基であり、ｎは、正の整数であり、炭化水素含有アルコールを本質的に含まない、触媒組成物。
［５］  各ＲｆがＣＦ3である、上記［４］に記載の組成物。
［６］  前記炭化水素含有アルコールがメタノールである、上記［１］に記載の組成物。
［７］  前記炭化水素含有アルコールがエタノールである、上記［１］に記載の組成物。
［８］  有機又は無機充填剤を更に含む、上記［１］に記載の組成物。
［９］  上記［１］に記載の組成物を含む、フルオロポリマー。
［１０］  窒素含有硬化部位を含むフルオロエラストマーと、
式Ｉのカチオン及びアニオンを含む触媒組成物であって、
Ａnq-Ｑpm+                    （Ｉ）
式中、ｍ、ｎ、ｐ、及びｑは、正の整数であり、ｍ*ｐ＝ｎ*ｑであり、Ｑm+は、有機オニウムであり、Ａq-はアニオンであるが、但し、少なくとも１つのＡq-は、式ＩＩから選択され、
【化３】
2012531493.tif 000003
式中、各Ｒは、独立して、Ｈ、ハロ、アルキル、アリール、アラルキル、又はシクロアルキルであり、また、ハロゲン化、フッ素化、又は全フッ素化されてもよく、Ｒ及びＲ’基のうちの２つ以上は一緒に環を形成してもよく、各Ｒ基は、独立して、１つ以上のヘテロ原子を含有してもよく、Ｒ’は、Ｒと同じであってもよいが、但し、Ｒ’はハロであってはならず、炭化水素含有アルコールを本質的に含まない触媒組成物と、を含む、フルオロエラストマー組成物。
［１１］  前記フルオロエラストマー組成物が、ＡＳＴＭ  Ｄ１６４６−９６に従って少なくとも１５分間のムーニースコーチ時間（ｔ18）を有する、上記［１０］に記載のフルオロエラストマー組成物。
［１２］  上記［１］に記載の触媒組成物と、ニトリル含有硬化部位モノマーであってもよい窒素含有硬化部位モノマーの共重合化単位を有し、全フッ素化されてもよいフルオロエラストマーと、を含む、フルオロエラストマー組成物。
［１３］  充填剤を更に含み、所望により、前記充填剤がＰＴＦＥ及び／又はペルフルオロアルコキシ／ＴＦＥコポリマー（ＰＦＡ）から選択される、上記［１０］に記載のフルオロエラストマー組成物。
［１４］  前記フルオロエラストマーが、テトラフルオロエチレン及びペルフルオロアルキルビニルエーテル、ペルフルオロアルコキシビニルエーテル、ペルフルオロアルケンエーテル、及び／又はペルフルオロアルコキシアルケンエーテルの共重合化単位を含む、上記［１０］に記載のフルオロエラストマー組成物。
［１５］  前記フルオロエラストマーが、テトラフルオロエチレン、フッ素化コモノマー、及び所望により１つ以上のペルフルオロビニルエーテルから誘導される共重合化単位を含む、上記［１０］に記載のフルオロエラストマー組成物。
［１６］  前記フッ素化コモノマーが、ペルフルオロオレフィン、部分フッ素化オレフィン、非フッ素化オレフィン、フッ化ビニリデン、及びこれらの組み合わせから選択される、上記［１５］に記載のフルオロエラストマー組成物。
［１７］  前記硬化部位モノマーが、式ＣＦ2＝ＣＦＯ（ＣＦ2）LＣＮ、ＣＦ2＝ＣＦＯ（ＣＦ2）uＯＣＦ（ＣＦ3）ＣＮ、ＣＦ2＝ＣＦＯ［ＣＦ2ＣＦ（ＣＦ3）Ｏ］q（ＣＦ2Ｏ）yＣＦ（ＣＦ3）ＣＮ、又はＣＦ2＝ＣＦ［ＯＣＦ2ＣＦ（ＣＦ3）］rＯ（ＣＦ2）tＣＮ（式中、Ｌ＝２〜１２；ｑ＝０〜４；ｒ＝１〜２；ｙ＝０〜６；ｔ＝１〜４、及びｕ＝２〜６である）の化合物、ペルフルオロ（８−シアノ−５−メチル−３，６−ジオキサ−１−オクテン）、及びＣＦ2＝ＣＦＯ（ＣＦ2）5ＣＮから選択される、上記［１０］に記載のフルオロエラストマー組成物。
［１８］  所望によりフルオロポリマー充填剤、シリカ、カーボンブラック、及びこれらの組み合わせから選択される充填剤を更に含む、上記［１０］に記載のフルオロエラストマー組成物。
［１９］  更なる硬化剤を更に含み、所望により、前記更なる硬化剤が、アンモニア生成化合物、置換トリアジン誘導体、非置換トリアジン誘導体、ペルオキシド、ビス−アミノフェノール、ビス−アミドオキシム、有機スズ化合物、又はアミジン、ビス−アミジン、トリス−アミジン、又はテトラ−アミジン、又はこれらの塩から選択される、上記［１０］に記載のフルオロエラストマー組成物。
［２０］  上記［１０］に記載のフルオロエラストマー組成物を含む、成形物品。
［２１］  上記［１０］に記載のフルオロエラストマー組成物を含む、成形物品。
［２２］  ペルフルオロオレフィン、部分フッ素化オレフィン、非フッ素化オレフィン、フッ化ビニリデン、ペルフルオロアルケンエーテル、及びこれらの組み合わせからなる群より選択されるモノマーから誘導される共重合化単位を有するフルオロポリマーを更に含む、上記［１１］に記載の組成物。
［２３］  アンモニウム塩、アンモニア生成化合物、置換トリアジン誘導体、非置換トリアジン誘導体、所望により架橋助剤を伴うペルオキシド、ビス−アミノフェノール、ビス−アミドオキシム、有機スズ化合物、又はアミジン、ビス−アミジン、トリス−アミジン、又はテトラ−アミジン、又はこれらの塩から選択される物質を更に含み；前記架橋助剤が、所望により、トリアリルシアヌレート、トリアリルイソシアヌレート、トリ（メチルアリル）イソシアヌレート、トリス（ジアリルアミン）−ｓ−トリアジン、亜リン酸トリアリル、Ｎ，Ｎ−ジアリルアクリルアミド、ヘキサアリルホスホラミド、Ｎ，Ｎ，Ｎ’，Ｎ’−テトラアルキルテトラフタルアミド；Ｎ，Ｎ，Ｎ’，Ｎ’−テトラアリルマロンアミド、トリビニルイソシアヌレート、２，４，６−トリビニルメチルトリシロキサン、及びトリ（５−ノルボルネン−２−メチレン）シアヌレートから選択される、上記［２２］に記載の組成物。
［２４］  上記［１］に記載の触媒組成物と、全フッ素化されていてもよい窒素含有硬化部位モノマーの共重合化単位を有するフルオロエラストマーとを含む混合物を形成する工程を含む、フルオロポリマー組成物を製造する方法。
［２５］  （ａ）上記［２４］に記載の混合物を用意する工程と、
（ｂ）前記混合物を成形する工程と、
（ｃ）前記成形混合物を硬化させて、物品を形成し、所望により前記物品を後硬化させる工程と、を含む、フルオロポリマー物品の製造方法。
［２６］  上記［１０］に記載の組成物を含む混合物を形成する工程を含む、フルオロポリマー組成物を製造する方法。
［２７］  （ａ）上記［２６］に記載の組成物を含む混合物を形成する工程と、
（ｂ）前記混合物を成形する工程と、
（ｃ）前記成形混合物を硬化させて、物品を形成し、所望により前記物品を後硬化させる工程と、を含む、フルオロポリマー物品の製造方法。
［２８］  カチオン及びアニオンを用意する工程を含み、前記アニオンが、
（ｉ）親アルコールを、所望によりテトラアルキルホスホニウム水酸化物又はテトラアルキルアンモニウム水酸化物から選択される塩基と反応させる工程、又は
（ｉｉ）親アルコールと、所望によりナトリウムメトキシドから選択される金属水酸化物又はアルコキシドとを反応させ、溶媒中で、所望により塩化オニウムから選択されるオニウムハロゲン化物を添加し、前記溶媒を除去し、所望により塩を沈殿させる工程、とによって調製される、上記［１］に記載の触媒を製造する方法。
［２９］  カチオン及びアニオンを用意する工程を含み、前記アニオンが、
（ｉ）親アルコールを、所望によりテトラアルキルホスホニウム水酸化物又はテトラアルキルアンモニウム水酸化物から選択される塩基と反応させる工程、又は
（ｉｉ）親アルコールと、所望によりナトリウムメトキシドから選択される金属水酸化物又はアルコキシドとを反応させ、溶媒中で、所望により塩化オニウムから選択されるオニウムハロゲン化物を添加し、前記溶媒を除去し、所望により塩を沈殿させる工程、とによって調製される、上記［４］に記載の触媒を製造する方法。
【手続補正２】
【補正対象書類名】特許請求の範囲
【補正対象項目名】全文
【補正方法】変更
【補正の内容】
【特許請求の範囲】
【請求項１】
式Ｉのカチオン及びアニオンを含む触媒組成物であって、
Ａｎq-Ｑｐm+                  （Ｉ）
式中、ｍ、ｎ、ｐ、及びｑは、正の整数であり、ｍ*ｐ＝ｎ*ｑであり、Ｑm+は、有機オニウムであり、Ａq-はアニオンであるが、但し、少なくとも１つのＡq-は、式ＩＩから選択され、
【化１】
2012531493.tif 000004
式中、各Ｒは、独立して、Ｈ、ハロ、アルキル、アリール、アラルキル、又はシクロアルキルであり、また、ハロゲン化、フッ素化、又は全フッ素化されてもよく、Ｒ及びＲ’基のうちの２つ以上は一緒に環を形成してもよく、各Ｒ基は、独立して、１つ以上のヘテロ原子を含有してもよく、Ｒ’は、Ｒと同じであってもよいが、但し、Ｒ’はハロであってはならず、炭化水素含有アルコールを本質的に含まない触媒組成物。
【請求項２】
式ＩＩＩのアニオンを含むフルオロエラストマーに好適な触媒組成物であって、
【化２】
2012531493.tif 000005
式中、各Ｒｆは、独立して、Ｒ−ＣＦ2又は１〜８個の炭素原子を有するペルフルオロアルキル基であり、Ｒは、Ｈ、ハロ、８個以下の炭素原子を有するアルキル、アリール、又はシクロアルキルであり、またハロゲン化、フッ素化、又は全フッ素化されてもよく、ヘテロ原子を含有してもよく、Ｘは、連結基であり、ｎは、正の整数であり、炭化水素含有アルコールを本質的に含まない、触媒組成物。
【請求項３】
窒素含有硬化部位を含むフルオロエラストマーと、
式Ｉのカチオン及びアニオンを含む触媒組成物であって、
Ａnq-Ｑpm+                    （Ｉ）
式中、ｍ、ｎ、ｐ、及びｑは、正の整数であり、ｍ*ｐ＝ｎ*ｑであり、Ｑm+は、有機オニウムであり、Ａq-はアニオンであるが、但し、少なくとも１つのＡq-は、式ＩＩから選択され、
【化３】
2012531493.tif 000006
式中、各Ｒは、独立して、Ｈ、ハロ、アルキル、アリール、アラルキル、又はシクロアルキルであり、また、ハロゲン化、フッ素化、又は全フッ素化されてもよく、Ｒ及びＲ’基のうちの２つ以上は一緒に環を形成してもよく、各Ｒ基は、独立して、１つ以上のヘテロ原子を含有してもよく、Ｒ’は、Ｒと同じであってもよいが、但し、Ｒ’はハロであってはならず、炭化水素含有アルコールを本質的に含まない触媒組成物と、を含む、フルオロエラストマー組成物。
【請求項４】
請求項３に記載のフルオロエラストマー組成物を含む、成形物品。